(57)【要約】【課題】【解決手段】通信システムにおいて中継器と基地局との間で許容できる伝播遅延を決定するための装置及び方法が開示される。一実施形態では、中継器と基地局との間の光ファイバケーブルの許容できる長さが決定される。より具体的には、時間内の所望のサーチウィンドウサイズが決定される。光ファイバケーブルの遅延の最大値は、所望のサーチウィンドウサイズに基づいて決定される。また、光ファイバケーブルの遅延の値の、光ファイバケーブルの長さに対する比の値が決定される。光ファイバケーブルの許容できる長さが、光ファイバケーブルの遅延の最大値及び比の値に基づいて決定される。【選択図】      図１２
2007500488.tif 000002
【特許請求の範囲】
【請求項１】
遠隔局が基地局と、当該基地局に物理的なリンクを使用して接続された中継器を介して通信する通信システムで用いる方法であって、前記方法は、
時間内に所望のサーチウィンドウサイズを決定することと、
前記所望のサーチウィンドウサイズに基づいて、物理的なリンクの遅延の最大値を決定することと、
物理的なリンクの遅延の値の、物理的なリンクの長さに対する比の値を決定することと、
前記物理的なリンクの最大値及び前記比の値に基づいて、前記物理的なリンクの許容できる長さを決定すること、
を備える。
【請求項２】
請求項１に記載の方法であって、前記物理的なリンクの前記許容できる長さを決定することは、
前記所望のサーチウィンドウサイズにより許容される前記物理的なリンクの最大の長さを決定すること、
を備える方法。
【請求項３】
請求項２に記載の方法であって、前記物理的なリンクの遅延の最大値を決定することは、
前記基地局から前記遠隔局までの第１の伝播遅延の値を決定することと、
前記中継器から前記遠隔局までの第２の伝播遅延の値を決定することと、
前記中継器の内部遅延の値を決定することと、
前記所望のサーチウィンドウサイズ、前記内部遅延の値、及び、前記第１並びに第２の伝播遅延の値に基づいて、前記物理的なリンクの遅延の最大値を決定すること、
を備える方法。
【請求項４】
請求項３に記載の方法であって、前記物理的なリンクの前記最大の長さを決定することは、
第１の合計の値を得るために、前記第１の伝播遅延の値から、前記第２の伝播遅延の値と前記内部遅延の値を引くことと、
第２の合計の値を得るために、前記所望のサーチウィンドウサイズの半分と前記第１の合計の値を足すことと、
前記物理的なリンクの前記最大の長さを決定するために、前記第２の合計の値を前記比の値で割ること、
を備える方法。
【請求項５】
請求項１に記載の方法であって、前記サーチウィンドウサイズを決定することは、
サーチウィンドウサイズの範囲を決定すること、
を備える方法。
【請求項６】
請求項１に記載の方法であって、前記所望のサーチウィンドウサイズを決定することは、
複数のサーチウィンドウサイズを決定すること、
を備える方法。
【請求項７】
請求項１に記載の方法であって、前記物理的なリンクは、光ファイバケーブルを備える方法。
【請求項８】
遠隔局が基地局と、当該基地局に物理的なリンクを使用して接続された中継器を介して通信する通信システムで用いる方法であって、前記方法は、
前記物理的なリンクの所望の長さを決定することと、
物理的なリンクの遅延の値の、物理的なリンクの長さに対する比の値を決定することと、
前記基地局から前記遠隔局までの第１の伝播遅延の値を決定することと、
前記中継器から前記遠隔局までの第２の伝播遅延の値を決定することと、
前記中継器の内部遅延の値を決定することと、
前記物理的なリンクの前記所望の長さ、前記比の値、前記内部遅延の値、及び、前記第１並びに第２の伝播遅延の値に基づいて、サーチウィンドウサイズを決定すること、
を備える。
【請求項９】
請求項８に記載の方法であって、前記サーチウィンドウサイズを決定することは、
物理的なリンクの遅延の値を得るために、前記物理的なリンクの前記所望の長さに前記比の値を掛けることと、
第１の合計の値を得るために、前記第２の伝播遅延の値と前記内部遅延の値とを前記物理的なリンクの遅延の値と共に足すことと、
第２の合計の値を得るために、前記第１の合計の値から、前記第１の伝播遅延の値を引くことと、
前記サーチウィンドウサイズを決定するために、前記第２の合計の値を２倍にすることと、
を備える方法。
【請求項１０】
請求項８に記載の方法であって、前記物理的なリンクは、光ファイバケーブルを備える方法。
【請求項１１】
遠隔局が基地局と、当該基地局に物理的なリンクを使用して接続された中継器を介して通信する通信システムのための装置であって、前記装置は、
合計の値を得るために、第１の伝播遅延の値と前記中継器の内部遅延の値を第２の伝播遅延の値から引き、所望のサーチウィンドウサイズの半分を足すように構成される加算ユニットであって、前記第１の伝播遅延の値は、前記中継器から前記遠隔局までの遅延であり、前記第２の伝播遅延の値は、前記基地局から前記遠隔局までの遅延である、加算ユニットと、
前記合計の値を、物理的なリンクの遅延の値の、物理的なリンクの長さに対する比の値で割るように構成される第１の除算ユニットと、
を備える。
【請求項１２】
請求項１１に記載の装置であって、
前記加算ユニットに結合され、前記所望のサーチウィンドウサイズの半分を得るために前記所望のサーチウィンドウサイズを割るように構成される第２の除算ユニット、
を更に備える装置。
【請求項１３】
請求項１１に記載の装置であって、前記物理的なリンクは、光ファイバケーブルを備える装置。
【請求項１４】
遠隔局が基地局と、当該基地局に物理的なリンクを使用して接続された中継器を介して通信する通信システムのための装置であって、前記装置は、
積の値を得るために、前記物理的なリンクの所望の長さに、物理的なリンクの遅延の値の、物理的なリンクの長さに対する比の値を掛けるように構成される第１の乗算ユニットと、
合計の値を得るために、第１の伝播遅延の値と前記中継器の内部遅延の値とを前記第１の積の値と共に足し、第２の伝播遅延の値を引くように構成される加算ユニットであって、前記第１の伝播遅延の値は、前記中継器から前記遠隔局までの遅延であり、前記第２の伝播遅延の値は、前記基地局から前記遠隔局までの遅延である、加算ユニットと、
を備える。
【請求項１５】
請求項１４に記載の装置であって、
前記合計の値を２倍にするように構成される第２の乗算ユニット、
を更に備える装置。
【請求項１６】
請求項１４に記載の装置であって、前記物理的なリンクは、光ファイバケーブルを備える装置。
【請求項１７】
遠隔局が基地局と、当該基地局に物理的なリンクを使用して接続された中継器を介して通信する通信システムのための装置であって、前記装置は、
時間内に所望のサーチウィンドウサイズを決定する手段と、
前記所望のサーチウィンドウサイズに基づいて、物理的なリンクの遅延の最大値を決定する手段と、
物理的なリンクの遅延の値の、物理的なリンクの長さに対する比の値を決定する手段と、
前記物理的なリンクの遅延の最大値及び前記比の値に基づいて、前記物理的なリンクの許容できる長さを決定する手段、
を備える。
【請求項１８】
請求項１７に記載の装置であって、前記物理的なリンクの許容できる長さを決定する前記手段は、
前記物理的なリンクの最大の長さを決定する手段、
を備える装置。
【請求項１９】
請求項１８に記載の装置であって、前記物理的なリンクの遅延の最大値を決定する前記手段は、
前記基地局から前記遠隔局までの第１の伝播遅延の値を決定する手段と、
前記中継器から前記遠隔局までの第２の伝播遅延の値を決定する手段と、
前記中継器の内部遅延の値を決定する手段と、
前記所望のサーチウィンドウサイズ、前記内部遅延の値、及び、前記第１並びに第２の伝播遅延の値に基づいて、前記物理的なリンクの遅延の最大値を決定する手段、
を備える装置。
【請求項２０】
請求項１９に記載の装置であって、前記物理的なリンクの前記最大の長さを決定する前記手段は、
第１の合計の値を得るために、前記第１の伝播遅延の値から、前記第２の伝播遅延の値と前記内部遅延の値を引く手段と、
第２の合計の値を得るために、前記所望のサーチウィンドウサイズの半分と前記第１の合計の値を足す手段と、
前記物理的なリンクの前記最大の長さを決定するために、前記第２の合計の値を前記比の値で割る手段、
を備える装置。
【請求項２１】
請求項１７に記載の装置であって、前記物理的なリンクは、光ファイバケーブルを備える装置。
【請求項２２】
遠隔局が基地局と、当該基地局に物理的なリンクを使用して接続された中継器を介して通信する通信システムのための装置であって、前記装置は、
前記物理的なリンクの所望の長さを決定する手段と、
物理的なリンクの遅延の値の、物理的なリンクの長さに対する比の値を決定する手段と、
前記基地局から前記遠隔局までの第１の伝播遅延の値を決定する手段と、
前記中継器から前記遠隔局までの第２の伝播遅延の値を決定する手段と、
前記中継器の内部遅延の値を決定する手段と、
前記物理的なリンクの前記所望の長さ、前記比の値、前記内部遅延の値、及び、前記第１並びに第２の伝播遅延の値に基づいて、サーチウィンドウサイズを決定する手段、
を備える。
【請求項２３】
請求項２２に記載の装置であって、前記サーチウィンドウサイズを決定する前記手段は、
物理的なリンクの遅延の値を得るために、前記物理的なリンクの前記所望の長さを前記比の値に掛ける手段と、
第１の合計の値を得るために、前記第２の伝播遅延の値と前記内部遅延の値とを前記物理的なリンクの遅延の値と共に足す手段と、
第２の合計の値を得るために、前記第１の合計の値から、前記第１の伝播遅延の値を引く手段と、
前記サーチウィンドウサイズを決定するために、前記第２の合計の値を２倍にする手段と、
を備える装置。
【請求項２４】
請求項２２に記載の装置であって、前記物理的なリンクは、光ファイバケーブルを備える装置。
【請求項２５】
遠隔局が基地局と、当該基地局に物理的なリンクを使用して接続された中継器を介して通信する通信システムのための機械読み取り可能なコードを記憶する機械読み取り可能な媒体であって、前記機械読み取り可能な媒体は、
時間内に所望のサーチウィンドウサイズを決定する機械読み取り可能なコードと、
前記所望のサーチウィンドウサイズに基づいて、物理的なリンクの遅延の最大値を決定する機械読み取り可能なコードと、
物理的なリンクの遅延の値の、物理的なリンクの長さに対する比の値を決定する機械読み取り可能なコードと、
前記物理的なリンクの遅延の最大値及び前記比の値に基づいて、前記物理的なリンクの許容できる長さを決定する機械読み取り可能なコード、
を備える。
【請求項２６】
請求項２５に記載の機械読み取り可能な媒体であって、前記物理的なリンクの許容できる長さを決定する前記機械読み取り可能なコードは、
前記物理的なリンクの最大の長さを決定する機械読み取り可能なコード、
を備える機械読み取り可能な媒体。
【請求項２７】
請求項２６に記載の機械読み取り可能な媒体であって、前記物理的なリンクの遅延の最大値を決定する前記機械読み取り可能なコードは、
前記基地局から前記遠隔局までの第１の伝播遅延の値を決定する機械読み取り可能なコードと、
前記中継器から前記遠隔局までの第２の伝播遅延の値を決定する機械読み取り可能なコードと、
前記中継器の内部遅延の値を決定する機械読み取り可能なコードと、
前記所望のサーチウィンドウサイズ、前記内部遅延の値、及び、前記第１並びに第２の伝播遅延の値に基づいて、前記物理的なリンクの遅延の最大値を決定する機械読み取り可能なコード、
を備える機械読み取り可能な媒体。
【請求項２８】
請求項２７に記載の機械読み取り可能な媒体であって、前記物理的なリンクの前記最大の長さを決定する前記機械読み取り可能なコードは、
第１の合計の値を得るために、前記第１の伝播遅延の値から、前記第２の伝播遅延の値と前記内部遅延の値を引く機械読み取り可能なコードと、
第２の合計の値を得るために、前記所望のサーチウィンドウサイズの半分と前記第１の合計の値を足す機械読み取り可能なコードと、
前記物理的なリンクの前記最大の長さを決定するために、前記第２の合計の値を前記比の値で割る機械読み取り可能なコード、
を備える機械読み取り可能な媒体。
【請求項２９】
遠隔局が基地局と、当該基地局に物理的なリンクを使用して接続された中継器を介して通信する通信システムのための機械読み取り可能なコードを記憶する機械読み取り可能な媒体であって、前記機械読み取り可能な媒体は、
前記物理的なリンクの所望の長さを決定する機械読み取り可能なコードと、
物理的なリンクの遅延の値の、物理的なリンクの長さに対する比の値を決定する機械読み取り可能なコードと、
前記基地局から前記遠隔局までの第１の伝播遅延の値を決定する機械読み取り可能なコードと、
前記中継器から前記遠隔局までの第２の伝播遅延の値を決定する機械読み取り可能なコードと、
前記中継器の内部遅延の値を決定する機械読み取り可能なコードと、
前記物理的なリンクの前記所望の長さ、前記比の値、前記内部遅延の値、及び、前記第１並びに第２の伝播遅延の値に基づいて、サーチウィンドウサイズを決定する機械読み取り可能なコード、
を備える。
【請求項３０】
請求項２９に記載の機械読み取り可能な媒体であって、前記サーチウィンドウサイズを決定する前記機械読み取り可能なコードは、
物理的なリンクの遅延の値を得るために、前記物理的なリンクの前記所望の長さを前記比の値に掛ける機械読み取り可能なコードと、
第１の合計の値を得るために、前記第２の伝播遅延の値と前記内部遅延の値とを前記物理的なリンクの遅延の値と共に足す機械読み取り可能なコードと、
第２の合計の値を得るために、前記第１の合計の値から、前記第１の伝播遅延の値を引く機械読み取り可能なコードと、
前記サーチウィンドウサイズを決定するために、前記第２の合計の値を２倍にする機械読み取り可能なコードと、
を備える機械読み取り可能な媒体。
【請求項３１】
遠隔局が基地局と、当該基地局に物理的なリンクを使用して接続された中継器を介して通信する通信システムのための方法であって、前記方法は、
時間内に所望のサーチウィンドウサイズを決定することと、
前記所望のサーチウィンドウサイズに基づいて、許容できる物理的なリンクの遅延の値を決定することと、
物理的なリンクの遅延の値の、物理的なリンクの長さに対する比の値を決定することと、
前記物理的なリンクの長さを決定することと、
前記許容できる物理的なリンクの遅延の値及び前記比の値に基づいて、前記物理的なリンクの前記長さが、前記所望のサーチウィンドウサイズに対して充分かどうかを決定すること、
を備える。
【請求項３２】
請求項３１に記載の方法であって、
前記物理的なリンクの前記長さを決定することは、
前記中継器を前記基地局に接続するために前記物理的なリンクを設置する間に、前記物理的なリンクの前記長さを決定することを備え、
前記物理的なリンクの前記長さが充分かどうかを決定することは、
前記中継器を前記基地局に接続するために前記物理的なリンクを設置する間に、前記物理的なリンクの前記長さが充分かどうかを決定することを備える方法。
【請求項３３】
請求項３１に記載の方法であって、前記許容できる物理的なリンクの遅延の値を決定することは、
前記所望のサーチウィンドウサイズに対する物理的なリンクの遅延の最大を決定すること、
を備える方法。
【請求項３４】
請求項３３に記載の方法であって、前記物理的なリンクの遅延の最大値を決定することは、
前記基地局から前記遠隔局までの第１の伝播遅延の値を決定することと、
前記中継器から前記遠隔局までの第２の伝播遅延の値を決定することと、
前記中継器の内部遅延の値を決定することと、
前記所望のサーチウィンドウサイズ、前記内部遅延の値、及び、前記第１並びに第２の伝播遅延の値に基づいて、前記物理的なリンクの遅延の最大値を決定すること、
を備える方法。
【請求項３５】
請求項３４に記載の方法であって、前記物理的なリンクの前記長さが充分かどうかを決定することは、
第１の合計の値を得るために、前記第１の伝播遅延の値から、前記第２の伝播遅延の値と前記内部遅延の値を引くことと、
第２の合計の値を得るために、前記所望のサーチウィンドウサイズの半分と前記第１の合計の値を足すことと、
前記物理的なリンクの前記長さが充分かどうかを決定するために、前記第２の合計の値を前記比の値で割ること、
を備える方法。
【請求項３６】
請求項３１に記載の方法であって、前記物理的なリンクは、光ファイバケーブルを備える方法。
【請求項３７】
遠隔局が基地局と、当該基地局に物理的なリンクを使用して接続された中継器を介して通信する通信システムのための装置であって、前記装置は、
時間内に所望のサーチウィンドウサイズを決定する手段と、
前記所望のサーチウィンドウサイズに基づいて、許容できる物理的なリンクの遅延の値を決定する手段と、
物理的なリンクの遅延の値の、物理的なリンクの長さに対する比の値を決定する手段と、
前記物理的なリンクの長さを決定する手段と、
前記許容できる物理的なリンクの遅延の値及び前記比の値に基づいて、前記物理的なリンクの前記長さが、前記所望のサーチウィンドウサイズに対して充分かどうかを決定する手段、
を備える。
【請求項３８】
請求項３７に記載の装置であって、
前記物理的なリンクの前記長さを決定する前記手段は、
前記中継器を前記基地局に接続するために前記物理的なリンクを設置する間に、前記物理的なリンクの前記長さを決定する手段を備え、
前記物理的なリンクの前記長さが充分かどうかを決定する前記手段は、
前記中継器を前記基地局に接続するために前記物理的なリンクを設置する間に、前記物理的なリンクの前記長さが充分かどうかを決定する手段を備える方法。
【請求項３９】
請求項３７に記載の装置であって、前記許容できる物理的なリンクの遅延の値を決定する前記手段は、
前記所望のサーチウィンドウサイズに対して許容される、物理的なリンクの遅延の最大を決定する手段、
を備える装置。
【請求項４０】
請求項３９に記載の装置であって、前記物理的なリンクの遅延の最大値を決定する前記手段は、
前記基地局から前記遠隔局までの第１の伝播遅延の値を決定する手段と、
前記中継器から前記遠隔局までの第２の伝播遅延の値を決定する手段と、
前記中継器の内部遅延の値を決定する手段と、
前記所望のサーチウィンドウサイズ、前記内部遅延の値、及び、前記第１並びに第２の伝播遅延の値に基づいて、前記物理的なリンクの遅延の最大値を決定する手段、
を備える装置。
【請求項４１】
請求項４０に記載の装置であって、前記物理的なリンクの前記長さが充分かどうかを決定する前記手段は、
第１の合計の値を得るために、前記第１の伝播遅延の値から、前記第２の伝播遅延の値と前記内部遅延の値を引く手段と、
第２の合計の値を得るために、前記所望のサーチウィンドウサイズの半分と前記第１の合計の値を足す手段と、
前記物理的なリンクの前記長さが充分かどうかを決定するために、前記第２の合計の値を前記比の値で割る手段、
を備える装置。
【請求項４２】
遠隔局が基地局と、当該基地局に物理的なリンクを使用して接続された中継器を介して通信する通信システムのための装置であって、前記装置は、
前記基地局から前記遠隔局までの第１の伝播遅延の値、前記中継器から前記遠隔局までの第２の伝播遅延の値、前記中継器の内部遅延の値、及び、所望のサーチウィンドウサイズを記憶するように構成される記憶媒体と、
前記記憶媒体に結合され、前記第１及び第２の伝播遅延の値、前記内部遅延の値、及び前記所望のサーチウィンドウサイズに基づいて、前記物理的なリンクの長さが前記所望のサーチウィンドウサイズに対して充分かどうかを決定するように構成されるプロセッサ、
を備える。
【請求項４３】
請求項４２に記載の装置であって、
前記プロセッサに結合され、前記物理的なリンクの前記長さを決定するように構成される測定ユニット、
を更に備える装置。
【請求項４４】
請求項４２に記載の装置であって、
前記プロセッサに結合され、前記物理的なリンクの前記長さが前記所望のウィンドウサイズに対して充分でないことを示す信号をユーザに出力するように構成される出力ユニット、
を更に備える装置。
【請求項４５】
請求項４２に記載の装置であって、前記物理的なリンクは、光ファイバケーブルを備える装置。
【発明の詳細な説明】
【技術分野】
【０００１】
本発明は一般に通信システムに関し、特に、一以上の中継器を有する通信システムに関する。
【背景技術】
【０００２】
無線通信システムでは、移動局やユーザ端末は、定位置の基地局（セルサイト又はセルとも称される）であって、当該基地局に隣接する、又は当該基地局を取り囲む特定の地理的な領域内で通信リンクやサービスをサポートする基地局から信号を受信する。カバレッジを提供するのを支援するために、各セルはしばしば複数のセクタに分割され、各々がより小さなサービスエリア又は地理的な領域に対応する。基地局のネットワークは、拡張的なカバレッジエリアに無線通信サービスを提供する。種々の地理的な制約及び経済的な制約に起因して、上記基地局のネットワークは、所望のカバレッジエリア内の一部のエリアで充分な通信サービスを提供しない。カバレッジエリアのこうした「ギャップ（gaps）」又は「ホール（holes）」は、中継器を用いて満たされる。
【０００３】
一般に、中継器は高利得の双方向増幅器である。中継器は、通信装置及び基地局から信号を受信し、増幅し、通信装置及び基地局へ信号を再送信する。中継器は、カバレッジホール（coverage hole）に通信サービスを提供し得るが、当該カバレッジホールは以前に基地局によってサービスされなかったものである。中継器はまた、カバレッジエリアのロケーションを変えることで、あるいは、カバレッジエリアの形を変更することで、セクタのカバレッジエリアを増強し得る。従って、中継器は、無線通信を提供するに際して不可欠な役割を果たすことができる。
【０００４】
しかし、中継器と基地局との間の伝播遅延は、一部の通信システムにおいて同期問題を引き起こすことがある。
【発明の開示】
【０００５】
本特許出願は、本出願の譲受人に譲渡され、参照することにより本明細書に明白に組み込まれる、２００３年５月１２日に出願された「通信システムで用いる方法及び装置」（Method and Apparatus for Use in a Communication System）と題された米国仮出願第６０／４６９，９７５号の優先権を主張する。
【０００６】
本明細書に開示される実施形態は、中継器と基地局との間の通信リンクにおいて許容できる遅延を決定する手法を提供することで、上述したニーズに対処するものである。ある面では、遠隔局が基地局と、当該基地局に物理的なリンクを使用して接続された（attached）中継器を介して通信する通信システムで用いる方法は、時間内に（in time）所望のサーチウィンドウサイズを決定することと、前記所望のサーチウィンドウサイズに基づいて、物理的なリンクの遅延の最大値を決定することと、物理的なリンクの遅延の値の、物理的なリンクの長さに対する比の値を決定することと、前記物理的なリンクの最大値及び前記比の値に基づいて、前記物理的なリンクの許容できる長さを決定すること、を備える。前記物理的なリンクの前記許容できる長さを決定することは、前記所望のサーチウィンドウサイズにより許容される前記物理的なリンクの最大の長さを決定することを備えてもよい。前記物理的なリンクの遅延の最大値を決定することは、前記基地局から前記遠隔局までの第１の伝播遅延の値を決定することと、前記中継器から前記遠隔局までの第２の伝播遅延の値を決定することと、前記中継器の内部遅延の値を決定することと、前記所望のサーチウィンドウサイズ、前記内部遅延の値、及び、前記第１並びに第２の伝播遅延の値に基づいて、前記物理的なリンクの遅延の最大値を決定すること、を備えてもよい。前記物理的なリンクの前記最大の長さを決定することは、第１の合計の値を得るために、前記第１の伝播遅延の値から、前記第２の伝播遅延の値と前記内部遅延の値を引くことと、第２の合計の値を得るために、前記所望のサーチウィンドウサイズの半分と前記第１の合計の値を足すことと、前記物理的なリンクの前記最大の長さを決定するために、前記第２の合計の値を前記比の値で割ること、を備えてもよい。
【０００７】
別の面では、遠隔局が基地局と、当該基地局に物理的なリンクを使用して接続された中継器を介して通信する通信システムで用いる方法は、前記物理的なリンクの所望の長さを決定することと、物理的なリンクの遅延の値の、物理的なリンクの長さに対する比の値を決定することと、前記基地局から前記遠隔局までの第１の伝播遅延の値を決定することと、前記中継器から前記遠隔局までの第２の伝播遅延の値を決定することと、前記中継器の内部遅延の値を決定することと、前記物理的なリンクの前記所望の長さ、前記比の値、前記内部遅延の値、及び、前記第１並びに第２の伝播遅延の値に基づいて、サーチウィンドウサイズを決定すること、を備える。前記サーチウィンドウサイズを決定することは、物理的なリンクの遅延の値を得るために、前記物理的なリンクの前記所望の長さを前記比の値に掛けることと、第１の合計の値を得るために、前記第２の伝播遅延の値と前記内部遅延の値とを前記物理的なリンクの遅延の値と共に足すことと、第２の合計の値を得るために、前記第１の合計の値から、前記第１の伝播遅延の値を引くことと、前記サーチウィンドウサイズを決定するために、前記第２の合計の値を２倍にすることと、を備えてもよい。
【０００８】
更なる面では、遠隔局が基地局と、当該基地局に物理的なリンクを使用して接続された中継器を介して通信する通信システムのための装置は、合計の値を得るために、第１の伝播遅延の値と前記中継器の内部遅延の値を第２の伝播遅延の値から引き、所望のサーチウィンドウサイズの半分を足すように構成される加算ユニットであって、前記第１の伝播遅延の値は、前記中継器から前記遠隔局までの遅延であり、前記第２の伝播遅延の値は、前記基地局から前記遠隔局までの遅延である、加算ユニットと、前記合計の値を、物理的なリンクの遅延の値の、物理的なリンクの長さに対する比の値で割るように構成される第１の除算ユニットと、を備える。前記装置は、前記加算ユニットに結合され、前記所望のサーチウィンドウサイズの半分を得るために前記所望のサーチウィンドウサイズを割るように構成される第２の除算ユニット、を更に備えてもよい。
【０００９】
また別の面では、遠隔局が基地局と、当該基地局に物理的なリンクを使用して接続された中継器を介して通信する通信システムのための装置は、積の値を得るために、前記物理的なリンクの所望の長さに、物理的なリンクの遅延の値の、物理的なリンクの長さに対する比の値を掛けるように構成される第１の乗算ユニットと、合計の値を得るために、第１の伝播遅延の値と前記中継器の内部遅延の値に前記第１の積の値を足し、第２の伝播遅延の値を引くように構成される加算ユニットであって、前記第１の伝播遅延の値は、前記中継器から前記遠隔局までの遅延であり、前記第２の伝播遅延の値は、前記基地局から前記遠隔局までの遅延である、加算ユニットと、を備える。前記装置はまた、前記合計の値を２倍にするように構成される第２の乗算ユニット、を備えてもよい。
【００１０】
また別の面では、遠隔局が基地局と、当該基地局に物理的なリンクを使用して接続された中継器を介して通信する通信システムのための機械読み取り可能なコードを記憶する機械読み取り可能な媒体は、時間内に所望のサーチウィンドウサイズを決定する機械読み取り可能なコードと、前記所望のサーチウィンドウサイズに基づいて、物理的なリンクの遅延の最大値を決定する機械読み取り可能なコードと、物理的なリンクの遅延の値の、物理的なリンクの長さに対する比の値を決定する機械読み取り可能なコードと、前記物理的なリンクの遅延の最大値及び前記比の値に基づいて、前記物理的なリンクの許容できる長さを決定する機械読み取り可能なコード、を備える。
【００１１】
更に別の面では、遠隔局が基地局と、当該基地局に物理的なリンクを使用して接続された中継器を介して通信する通信システムのための機械読み取り可能なコードを記憶する機械読み取り可能な媒体は、前記物理的なリンクの所望の長さを決定する機械読み取り可能なコードと、物理的なリンクの遅延の値の、物理的なリンクの長さに対する比の値を決定する機械読み取り可能なコードと、前記基地局から前記遠隔局までの第１の伝播遅延の値を決定する機械読み取り可能なコードと、前記中継器から前記遠隔局までの第２の伝播遅延の値を決定する機械読み取り可能なコードと、前記中継器の内部遅延の値を決定する機械読み取り可能なコードと、前記物理的なリンクの前記所望の長さ、前記比の値、前記内部遅延の値、及び、前記第１並びに第２の伝播遅延の値に基づいて、サーチウィンドウサイズを決定する機械読み取り可能なコード、を備える。
【００１２】
また別の面では、遠隔局が基地局と、当該基地局に物理的なリンクを使用して接続された中継器を介して通信する通信システムのための方法は、時間内に所望のサーチウィンドウサイズを決定することと、前記所望のサーチウィンドウサイズに基づいて、許容できる物理的なリンクの遅延の値を決定することと、物理的なリンクの遅延の値の、物理的なリンクの長さに対する比の値を決定することと、前記物理的なリンクの長さを決定することと、前記許容できる物理的なリンクの遅延の値及び前記比の値に基づいて、前記物理的なリンクの前記長さが、前記所望のサーチウィンドウサイズに対して充分かどうかを決定すること、を備える。
【００１３】
更なる面では、遠隔局が基地局と、当該基地局に物理的なリンクを使用して接続された中継器を介して通信する通信システムのための装置は、前記基地局から前記遠隔局までの第１の伝播遅延の値、前記中継器から前記遠隔局までの第２の伝播遅延の値、前記中継器の内部遅延の値、及び、所望のサーチウィンドウサイズを記憶するように構成される記憶媒体と、前記記憶媒体に結合され、前記第１及び第２の伝播遅延の値、前記内部遅延の値、及び前記所望のサーチウィンドウサイズに基づいて、前記物理的なリンクの長さが前記所望のサーチウィンドウサイズに対して充分かどうかを決定するように構成されるプロセッサ、を備える。
【００１４】
上記の実施形態においては、物理的なリンクが、光ファイバケーブルを備えてもよい。
【００１５】
[詳細な説明]
サーチウィンドウサイズと、通信システムで中継器と基地局との間で許容されることができる伝播遅延の量との間の関係を決定する実施形態が開示される。一実施形態では、サーチウィンドウサイズと、光ファイバリンクといった物理リンクを使用して基地局に接続された（attached）中継器との間で許容されることができる伝播遅延の量との間の関係が決定される。以下の説明では、実施形態の充分な理解を提供するために具体的な細目が与えられる。しかし、当業者には、こうした具体的な細目なしに実施形態が実行され得ることが理解されるであろう。例えば、実施形態を不必要な細部で不明確にしないために、回路はブロック図で示され得る。別の例では、周知の回路、構造及び技法は、実施形態を不明確にしないために詳細に示され得る。
【００１６】
実施形態は、フローチャート、フロー図、構成図、又はブロック図として描かれる処理として説明され得ることに注意する。フローチャートは動作を一連の処理として説明し得るが、動作の多くは並行して又は同時に実行することができる。また、動作の順序は再配列されてもよい。処理は、その動作が完了するときに終了する。処理は、方法、関数（function）、プロシージャ、サブルーチン、サブプログラム等に対応し得る。処理が関数に対応するとき、その終了は呼び出し関数又はメイン関数への当該関数のリターンに対応する。
【００１７】
また、「中継器」という用語は、ユーザ情報の抽出又は通信プロトコルの変換なしに無線信号を受信、増幅、及び再送信するシステム又は装置をいう。例えば、符号分割多元接続（ＣＤＭＡ）の基地局は、ＣＤＭＡ信号を受信及び復号してユーザ情報を抽出する。ＣＤＭＡの基地局は次に、別の信号を、抽出されたユーザ情報と共に送信する。ＣＤＭＡの基地局は、上記別の信号を送信するのに異なるプロトコルを使用してもよい。
【００１８】
Ｉ．例示的な動作環境  
図１は、基地局コントローラ（ＢＳＣ）と称されることもある、一以上の制御局１０２と、基地局トランシーバシステム（ＢＴＳ）と称されることもある、複数の基地局１０４Ａ−１０４Ｃを使用する無線通信ネットワーク(以下、「ネットワーク」)１００の例を示す。基地局１０４Ａ−１０４Ｃは、基地局１０４Ａ−１０４Ｃそれぞれのサービスエリア１０８Ａ−１０８Ｃ内にある遠隔局又は無線通信装置１０６Ａ−１０６Ｃと通信する。この例では、基地局１０４Ａは、サービスエリア１０８Ａ内の遠隔局１０６Ａと通信し、基地局１０４Ｂは、サービスエリア１０８Ｂ内の遠隔局１０６Ｂと通信し、基地局１０４Ｃは、サービスエリア１０８Ｃ内の遠隔局１０６Ｃと通信する。
【００１９】
基地局は、フォワードリンク又はフォワードリンク通信チャネルを介して情報を無線信号の形でユーザ端末に送信し、遠隔局はリバースリンク又はリバースリンク通信チャネルで情報を送信する。図１は、３つの基地局１０４Ａ−１０４Ｃを示すが、当然のことながら、これらの要素を他の数で採用して、所望の通信容量及び地理的な範囲を達成してもよい。また、固定された基地局が説明されているが、適用例によっては、移動できる基地局、及び／又は、列車、荷船又はトラックといった、但しこれらに限定されない、移動可能なプラットフォームに配置された局が使用され得ることが認識されるべきである。
【００２０】
制御局１０２は、他の制御局、ネットワーク１００の中央システム制御局（図示せず）、又は、公衆交換電話網（ＰＳＴＮ）あるいはインターネットといった他の通信システムに接続されてもよい。従って、遠隔局１０６のシステムユーザには、ネットワーク１００を使用して他の通信ポータルへのアクセスが提供される。
【００２１】
遠隔局１０６Ａ−１０６Ｃはそれぞれ、携帯電話、無線ハンドセット、データトランシーバ、又はページングあるいは位置決定受信器といった、但しこれらに限定されない、装置又は無線通信装置（ＷＣＤ）（wireless communication device）を有し、又は備える。更に、そのような遠隔局は、要望に応じて、携帯型（hand-held）であっても、車載の場合のように移動可能であっても、固定されていてもよい。図１において、遠隔局１０６Ａは、移動可能な車載の電話又はＷＣＤであり、遠隔局１０６Ｂは携帯型の装置であり、遠隔局１０６Ｃは固定された装置である。
【００２２】
また、実施形態の教示は、データ及び／又は音声トラヒックを転送するのに使用され得て、かつ、ケーブル又は他の公知の無線リンクあるいは接続を使用して他の装置と通信し得る、一以上のデータモジュール又はモデムといった無線装置に適用可能である。複数の通信チャネルで情報を転送するために、モデム又はモジュールが、所定の調整された又は関連付けられた方法（associated manner）で機能するように、命令が使用されてもよい。無線通信装置はまた、嗜好に応じて、ユーザ端末、移動局、モバイルユニット、加入者ユニット、移動無線あるいは無線電話、無線ユニットと称されることや、又は、通信システムによっては単に「ユーザ」、「電話」、「端末」、あるいは「モバイル」と称されることもある。
【００２３】
本環境例では、遠隔局１０６Ａ−１０６Ｃと基地局１０４Ａ−１０４Ｃは、ＣＤＭＡ通信技術を使用してネットワーク１００の他の要素との無線通信に従事する。従って、（遠隔局へ）フォワードリンク及び（遠隔局から）リバースリンクを介して送信される信号は、ＣＤＭＡ送信基準に従って符号化、拡散、及びチャネル化される（channelized）信号を搬送する。
【００２４】
また、各基地局１０４は、遠隔局１０６が当該基地局と有効に通信できる地点の軌跡（locus）の地理的な範囲(extent)として一般に説明されることができる、それぞれのサービスエリア１０８（１０８Ａ−１０８Ｃ）を有する。
【００２５】
基地局のサービスエリアは、便宜上、図１では概して円形又は楕円形に示されている。実際の適用例では、その地域の地形、障害物（建物、丘など）、信号強度、及び他のソースからの干渉が、所与の基地局によってサービスされる領域の形を決定づける。通常、複数のカバレッジエリア１０８（１０８Ａ−１０８Ｃ）は、大きなエリア又は領域に渡って連続的なカバレッジ又は通信を提供するために、少なくともわずかには重複する。つまり、有効な携帯電話又はデータサービスを提供するために、多くの基地局は重複するサービスエリアと共に使用されるであろう。
【００２６】
図１に示される通信ネットワークカバレッジの一つの面は、しばしばホール（hole）と称され得る、カバーされていない領域１３０、又は、単にネットワーク１００の通常のカバレッジエリアの外部である、カバーされていない領域１３２の存在である。カバレッジ中の「ホール」の場合、基地局、ここでは基地局１０４Ａ−１０４Ｃによってサービスされ得るカバーされたエリアを囲む、又は少なくとも隣接するエリアがある。しかし、上述したように、領域１３０又は１３２でカバレッジが利用できないかもしれない種々の理由が存在する。
【００２７】
例えば、基地局１０４Ａ−１０４Ｃの最も費用効果がある配置は、これらの信号が領域１３０又は１３２に確実に届く又はカバーすることを単純に許さないロケーションにこれらを配置することかもしれない。あるいは、山や丘といった位相的な特徴（topological features）、都市中央の重要な交通ルート（central urban corridors）にしばしば作り出される都会の峡谷や高い建物といった人工の構築物、高い樹木、森林などといった植生は、それぞれ部分的に又は完全に信号を妨害し得る。こうした効果の一部は、一時的であったり経時変化したりして、システムの導入、計画、及び使用をより複雑にすることがある。
【００２８】
多くの場合、変わった形の領域をカバーする、又は、閉塞の問題を回避するために、幾つかの中継器を使用することも、より適用しやすい（amenable）かもしれない。図１では、一以上の中継器１２０（１２０Ａ、１２０Ｂ）は、遠隔局１０６（１０６Ｄ及び１０６Ｅ）及び基地局１０４（１０４Ａ）の双方から送信を受け付け、基本的に「ベントパイプ（bent pipe）」通信パスとして動作する、この２者間の仲介物として作動する。中継器１２０を使用することで、基地局１０４の有効な範囲は、サービスエリア１３０及び１３２をカバーするように拡張される。
【００２９】
基地局１０４と無線で通信し得る中継器１２０もあれば、同軸リンクや光ファイバリンクといった物理的なリンクを使用して基地局１０４と通信し得る中継器１２０もある。図２は、中継器２００の簡易化したブロック図を示す。より典型的な商業用の中継器は、雑音、帯域外放射を制御し、利得を規制するための付加的な制御要素やフィルタリングを含む、更なるコンポーネントを有し得る。
【００３０】
中継器２００は、基地局から信号を受信、及び基地局へ信号を送信するドナーアンテナ２０２、送受切換器（duplexer）２０４、ドナーアンテナ２０２で受信される信号を増幅する増幅器２０６、第２の送受切換器２０８、及び、中継器２００のアンテナ２０２で受信される信号を送信（又は中継）するサーバアンテナ又はカバレッジアンテナ２１２を備える。サーバアンテナ２０６で受信されるリバースリンク信号を増幅し、増幅された信号をドナーアンテナ２０２に提供する第２の増幅器２１６も含まれる。
【００３１】
２つの送受切換器（２０４、２０８）は、フォワードリンク信号（周波数）及びリバースリンク信号（周波数）を分割する又は分離するために使用され、この２者の間に必要な分離を設けてこれらが中継器２００の他方の処理チェーンに入らないようにする。つまり、送信が受信器などに入り、性能を低下させるのを防止するためである。受信側又は受信機側送受切換器（２０４）は、ドナーセルとも称される基地局といった別のソースから「提供される（donated）」信号を受信するので、ドナーアンテナ（２０２）と称されるアンテナに結合される。ドナーは、より典型的にはセル内のセクタである。中継器処理の送信又は出力側の送受切換器（２０８）に結合されるアンテナは、サーバアンテナ又はカバレッジアンテナ（２１２）と称される。
【００３２】
ＩＩ．ＰＮオフセット  
ＩＳ−９５及びＣＤＭＡ２０００ベースのネットワークでは、基地局１０４は共通の時間基準に同期される。各セクタのフォワードリンク信号は、長さが２１５チップである擬似雑音（ＰＮ）符号でカバーされる（covered）。ショートコードとして知られるＰＮ符号は、システム時間に関連して時間同期され、各セクタが同一のショートコードをシステム時間に関連して異なる時間オフセットで同報通信する（broadcasts）。この時間オフセットは、ネットワーク内のセクタを識別及び区別するために遠隔局１０６によって使用される。より詳細には、パイロット信号（ウォルシュ符号ゼロ）は、遠隔局１０６による探索の対象である符号チャネルであるが、これはネットワークを横切りながら隣接するセクタを探索するからである。
【００３３】
図３は、ＰＮショートコード空間（PN short code space）の例を表す。円は、２６．６６７ｍｓ毎にそれ自身を繰り返す３２，７６８チップのショートコードを表す。基地局セクタに関する有効な時間オフセットは、ｍｏｄｕｌｏ  ６４チップである。従って、セクタに割り当て可能な遅延の組には５１２のＰＮオフセットがある。
【００３４】
ＩＩＩ．サーチウィンドウ  
遠隔局のレーキ（rake）受信機内のサーチャー機能（searcher function）は常に、マルチパス信号及び隣接するセクタを検索する。トラヒック状態及びアイドル状態の双方の期間に遠隔局に送信される隣接リスト（neighbor list）は、隣接検索を制御する。一般に、隣接リストは、遠隔局内のサーチャー機能が検索すべきＰＮコードの時間オフセットのリストを含む。レーキ受信機内の相関器は、上記リスト中に与えられた異なる時間オフセットを検索するであろう。検索は、各チップオフセットの相関性を探して、チップの長さを統合して（by integrating）行われる。このチップの長さはサーチウィンドウとして知られている。
【００３５】
この長さ内で相関エネルギーが検出された場合、その所与の時間遅延における受信されたパイロットエネルギーの相関性が発生したことになる。遠隔局内には３つの異なるサーチウィンドウサイズがある。  
アクティブセットのパイロットに使用されるサーチウィンドウ（ＳＲＣＨ＿ＷＩＮ＿Ａ）
隣接セットのパイロットに使用されるサーチウィンドウ（ＳＲＣＨ＿ＷＩＮ＿Ｎ）
残りのセットのパイロットに使用されるサーチウィンドウ（ＳＲＣＨ＿ＷＩＮ＿Ｒ）
これらのサーチウィンドウのサイズは、アイドル状態の期間にオーバーヘッドメッセージを使用して遠隔局に送信される。表１は、これらのサーチウィンドウのサイズの範囲を列挙する。
【表１】
2007500488.tif 000003
【００３６】
以下の実施形態は、主にアクティブセットと隣接セットの検索に関係する。残りのセットは概してシステムにほとんど影響を及ぼさない。また、ＩＳ−９５標準は、遠隔局が１３以上のアクティブなサーチウィンドウサイズを受信する場合、当該遠隔局が値１３を格納及び使用し得ることを示す。これは全ての遠隔局のベンダーについての厳格な要件ではないが、この条件はアクティブなサーチウィンドウサイズを２２６チップに有効に（effectively）限定する。４０から８０チップの範囲にあるアクティブなサーチウィンドウサイズが典型的である。
【００３７】
ＩＶ．基地局に対する遠隔局のタイミング  
遠隔局のタイミングの把握（sense）は、当該遠隔局がサービスエリアをあちこち移動するにつれて変化する。各遠隔局は、当該遠隔局が通信している１又は複数のセクタの最も早く到達するマルチパス成分に基づいてシステム時間のそれ自身の内部の把握を確立するであろう。しかし、伝播遅延に起因して、このシステム時間の把握は、セクタアンテナから遠隔局アンテナへの間の伝播距離に基づいて変化するであろう。
【００３８】
図４は、伝播遅延に起因する、基地局と遠隔局との間のタイミングオフセットを示す。一方向の遅延（one-way delay）は、信号が基地局アンテナから遠隔局アンテナに伝播するのにかかる時間を表す。チップに関しては、この遅延は約４チップ／ｋｍである。
【００３９】
例えば、遠隔局が、ＰＮオフセット１すなわちＰＮ１、ＰＮオフセット２すなわちＰＮ２、及びＰＮオフセット３すなわちＰＮ３を同報通信しているセクタを有するサービスエリアのエッジに移動したと仮定する。図５は、複数のＰＮオフセット、ＰＮ１、ＰＮ２、及びＰＮ３を備える基地局の３つのセクタを示す。基地局アンテナからカバレッジのエッジにおける遠隔局のロケーションへの間の時間遅延は、τ１と呼ばれるであろう。従って、遠隔局のシステム時間の把握は、オフセットτ１秒遅延されるであろう。
【００４０】
図６は、システム時間が、ＰＮ１と名付けられた縦線で表されるＰＮ１を有する場合の相対的なタイミングを示す。遠隔局は、τ１秒遅延されたＰＮ１を受信するであろう。これは、遠隔局がその内部システムクロックを確立する基準となるであろう。図６は、遠隔局のシステム時間が、正確な（基地局）システム時間から遅延時間τ１秒、遅延されることを示す。遠隔局のアクティブセットサーチウィンドウは、遠隔局のＰＮ１の把握のあたりに集中されることに留意されたい。遠隔局は、ＰＮ空間の選択されたロケーションにサーチウィンドウの中心を置く。このようにして、遠隔局は、ウィンドウサイズの半分、すなわちＷＡ／２だけ前方及び後方を検索する。
【００４１】
Ｖ．ＣＤＭＡネットワークにおける中継器  
さて、中継器の効果について以下に説明する。実施形態は、基地局と無線通信する中継器に適用し得るが、説明の目的上、実施形態は、物理的なリンクを使用して基地局と通信する中継器に関して説明されるであろう。特に、光ファイバリンクを使用して基地局に接続された中継器が例として用いられるであろう。
【００４２】
さらに、２つのケースが分析されるであろう。第１のケースでは、基地局カバレッジエリアと、同一のセクタにある中継器のカバレッジエリアとの間の移動につれての遠隔局の動作が検討されるであろう。このケースでは、同一のソースを有するＰＮオフセットは、基地局セクタのカバレッジエリアと中継器のカバレッジエリアの双方で同一である。第２のケースでは、基地局カバレッジエリアと、異なるセクタにある中継器のカバレッジエリアとの間を移動するにつれての遠隔局の動作が検討されるであろう。このケースは、基地局セクタのＰＮオフセットが、中継器のカバレッジエリアに同報通信されつつあるＰＮオフセットと異なる状況を分析する。
【００４３】
Ａ．ケース１：中継器及び隣接するセクタが同一のＰＮオフセットを同報通信する  
ＰＮオフセットは一般に等しいので、基地局セクタに関する任意のＰＮオフセットを一般性を失うことなく想定することができる。また、中継器及び隣接するセクタがＰＮオフセット１を同報通信すると仮定する。図７は、ケース１に関して分析されるべき構成例を示す。中継器は、ＰＮ１を同報通信しているセクタに接続される。セクタの半径は、τ１秒の遅延を有するように定義される。Ｚ１は、ＰＮ１がカバレッジを有するエリアである。エリアＺ１に隣接するのは、中継器のカバレッジエリア、ＺＲである。中継器と、中継器のカバレッジのエッジとの間の伝播遅延は、Ｚ秒の値を有する。
【００４４】
中継器自体は、主に当該中継器内で使用されるフィルタコンポーネントの結果である、自身に関連付けられた幾らかの遅延を有する。中継器には、それらがチャネル化にｓａｗフィルタを使用する場合、特に顕著な遅延を有し得るものがある。中継器には、顕著な遅延を含まないものもある。分析をできる限り一般的に保つために、中継器が遅延τＲを有すると仮定する。
【００４５】
最後に、光ファイバケーブルの長さによって生じる遅延は以下のとおりである。光ファイバケーブルを介した伝播速度は、自由空間での伝播速度未満である。一般に、伝播速度の減少は、ファイバ材料の屈折率と伝播の方法の関数である。説明の目的上、ファイバ遅延のファイバ長さに対する割合を定数βであると仮定する。βの単位は、秒／キロメートルである。βは屈折率に比例するので、典型的な値は１．４５から１．４７の範囲である。従って、ファイバにおける伝播速度は、自由空間での伝播速度の約２／３であろう。βを定義したので、ファイバ遅延ＦＤは、ファイバ長さＸと定数βによって、以下のように関係づけることができる。  
ＦＤ＝βＸ    （１）
ここで、
ＦＤ＝光ファイバリンクを介した秒単位での遅延
β＝ファイバ遅延のファイバ長さに対する割合
Ｘ＝光ファイバケーブルの物理的な長さ
遠隔局が、中継器のカバレッジエリアＺＲからセクタのカバレッジエリアＺ１へ移動する事象を考える。まず、遠隔局が中継器のカバレッジエリアＺＲを離れて、セクタカバレッジエリアＺ１へ移動し始める直前に、遠隔局に到達する信号のシステム時間に関連する遅延が決定される。この遅延は、以下のような、ファイバ遅延、中継器遅延、及び、中継器と遠隔局との間の伝播遅延の合計である。  
遅延＝ＦＤ＋τＲ＋τＺ    （２）
ここで、
τＲ＝中継器の内部遅延、であり、
τＺ＝中継器から遠隔局が基地局セクタカバレッジエリアへ移動しつつある地点への伝播遅延である。
【００４６】
このシステム時間に関連する遅延において、遠隔局はフォワードリンク信号同報通信を基地局セクタから直接見つけようと試みるであろう。先に述べたように、セクタカバレッジのエッジに到達する信号はまた、τＺの量だけ遅延されるであろう。遠隔局は、そのアクティブセットサーチウィンドウの中心であるＳＲＣＨ＿ＷＩＮ＿Ａを、図８に示される時間遅延に置くであろう。遠隔局がセクタエリアＺ１に近づくにつれて、エネルギーがこのサーチウィンドウに到達する場合、当該遠隔局は基地局セクタからフォワードリンクを見つけるであろう。図８を調べることにより、これは数学的に以下のように翻訳される。  
【数１】
2007500488.tif 000004
【００４７】
ここで、
ＷＡ＝時間内の（in time）アクティブセットサーチウィンドウサイズ、であり
τ１＝基地局アンテナから、遠隔局が中継器のカバレッジエリアから移動しつつある地点への伝播遅延、である。
【００４８】
従って、ファイバ接続された中継器環境で許容されることができる最大の遅延が確立される。従って、
【数２】
2007500488.tif 000005
【００４９】
この関係から、ケース１に関するファイバの最大の遅延が、セクタのエッジまでの伝播遅延と、中継器から中継器カバレッジのエッジまでの伝播遅延に、中継器を介する遅延τＲを加えたものとの差を加えた、アクティブサーチウィンドウサイズＷＡの関数として示される。
【００５０】
中継器遅延が無視できるものと仮定すると、上記の関係は、ファイバの最大の遅延がアクティブサーチウィンドウサイズと、セクタの伝播遅延と中継器の伝播遅延との差の関数であることを示すように下記の通り修正することができる。
【数３】
2007500488.tif 000006
【００５１】
伝播遅延は、セクタカバレッジの半径及び中継器カバレッジの半径に直接的に比例することを思い出してほしい。一般に、中継器は基地局セクタよりも少ない出力を有する。従って、その伝播距離は基地局セクタの伝播距離よりも小さい。ファイバの物理的な長さが伝播定数βの関数であることを思い出すと、式（４）は、光ファイバの最大の長さを特定するように下記の通り書き直すことができる。
【数４】
2007500488.tif 000007
【００５２】
要約すれば、上記の関係に従うことは、遠隔局のサーチャーが、それがＺＲからＺ１へ移動するにつれて、セクタからのフォワードリンク信号を見つけられるであろうということを保証するであろう。
【００５３】
上記の分析はアクティブセットサーチウィンドウに言及しているが、当該分析は、ＺＲとＺ１との間の移動の期間中に呼中である遠隔局にも適用される。アイドル状態の遠隔局の場合、同様の関係は、隣接セットサーチウィンドウサイズＳＲＣＨ＿ＷＩＮ＿Ｎを用いて形成できるであろう。これは、下記が通常当てはまるため、必要とされないかもしれない。
【数５】
2007500488.tif 000008
【００５４】
従って、式（６）の関係は、トラヒック状態及びアイドル状態の双方で遠隔局に関して使用される光ファイバケーブルの長さの最大限度を設定する。
【００５５】
しかし、遠隔局がセクタカバレッジエリアＺ１から中継器カバレッジエリアＺＲへ移動する二重の事象も検討されるべきである。既に述べたのと同一の手続きに従えば、遠隔局に、当該遠隔局がセクタカバレッジエリアＡ１を離れて、中継器カバレッジエリアＺＲへ移動し始める直前に到達する信号のシステム時間に関連する遅延が決定される。これは先に特定された遅延τ１である。
【００５６】
遠隔局は、当該遠隔局がセクタエリアＺ１から中継器エリアＺＲへ移動し始めるにつれて、そのアクティブセットサーチウィンドウＳＲＣＨ＿ＷＩＮ＿Ａの中心を時間遅延τ１に置くであろう。中継器からのフォワードリンク信号は、上記でそうであったように遅延されるであろう、すなわち、
【数６】
2007500488.tif 000009
【００５７】
である。
【００５８】
ここでも、遠隔局サーチャー機能はこれらの遅延されたフォワードリンク信号を見つけるべきであり、また、これらは、Ｚ１からＺＲへうまく移動するためにアクティブセットサーチウィンドウ内に到達すべきである。図９は、これらの信号の相対的なタイミングを示す。この場合、中継器からの遅延された信号が、システム時間に関連してτ１遅延されたタイミングで遠隔局のアクティブセットサーチウィンドウ内に収まるように要件が定められる。数学的には、これは以下のように書くことができる。
【数７】
2007500488.tif 000010
【００５９】
これは、遠隔局の中継器カバレッジエリアＺＲからセクタカバレッジエリアＺ１への移動を検討するときに展開された式（３）と同一の関係である。予想通り、一方向に移動している遠隔局についての要件が満たされるときである。もう一つの方向に移動している遠隔局についての用件も満たされる。
【００６０】
Ｂ．ケース２：中継器及び隣接セクタが異なるＰＮオフセットを同報通信する  
第２のケースでは、遠隔局が、所与のＰＮオフセットを同報通信しているセクタと、異なるＰＮオフセットを中継器が同報通信している中継器カバレッジエリアとの間を移動する。これは、中継器が、当該中継器カバレッジエリアに隣接するものとは異なる基地局のセクタからカバレッジを提供するために使用されるケースである。ケース２では、中継器が当該基地局セクタのそれとは全く異なるフォワードリンクを同報通信している点で、ケース２はケース１と異なる。
【００６１】
ＰＮオフセットが等しいと再び仮定して、説明の目的上、ＰＮオフセットＰＮ１がＺ１カバレッジエリアについて選択される。中継器から再度同報通信されているＰＮオフセットも任意であってよい。次に隣接するＰＮオフセットＰＮ２もまた、説明の目的上選択される。図１０は、分析に用いられる環境を示す。
【００６２】
まず、遠隔局が中継器カバレッジエリアＺＲからセクタカバレッジエリアＺ１へ移動する事象を考えられたい。ここでも、遠隔局に当該遠隔局が中継器カバレッジエリアＺＲを離れる直前に到達する信号のシステム時間に関連する遅延が決定される。先に述べたように、この遅延は、ファイバ遅延、中継器遅延、及び、中継器と遠隔局との間の伝播遅延の合計、すなわち、
【数８】
2007500488.tif 000011
【００６３】
である。
【００６４】
遠隔局は、基地局セクタから直接同報通信されているフォワードリンク信号を見つけようと試みる間、システム時間に関連するこの遅延で動作するであろう。ケース２の条件下で、これらのフォワードリンク信号は異なるＰＮオフセットＰＮ２からである。図１１は、このシナリオを示す。
【００６５】
遠隔局は、そのアクティブセットサーチウィンドウの中心をＰＮ２’と名付けられた時間遅延に置くであろう。遠隔局がセクタエリアＺ１に近づくにつれて、到達するエネルギーがＰＮオフセット１を検索するのに用いられる隣接セットサーチウィンドウ内に収まる場合、それは基地局からのフォワードリンクを見るであろう。
【００６６】
ＰＮ１はＰＮ２の隣のリストであるべきである。さもなければ、遠隔局はＰＮ１を検索しないであろうし、移動をするときにこのセクタを見つけないであろう。ケース２はまた、パイロット強度測定メッセージ（ＰＳＭＭ）（Pilot Strength Measurement Message）が遠隔局から報告されることと、ネットワークにより遠隔局にＰＮ１でのソフトハンドオフが許可されることを要求する。これは、セクタＰＮ１に呼が存在し、従って、セクタカバレッジエリアＺ１と中継器カバレッジエリアＺＲの双方に存在したため、ケース１では要求されなかった。ケース２は、ソフトハンドオフ状況であり、隣接リストが正確であることと、適当な移動境界があることを保証するための措置がとられるべきである。このようにして、ネットワーク機器は、複数のＰＳＭＭを処理し、トラヒックチャネルをセットアップする通常のソフトハンドオフ機能を実行することができる。
【００６７】
図１１を検討すると、光ファイバケーブルの最大の長さを導く必要な数式を決めることができる。先に述べたように、遠隔局によるシステム時間の把握は、ファイバ遅延、中継器遅延、及び、中継器から遠隔局への伝播遅延の合計分、遅延される。これは、遠隔局がその隣接パイロットを探し出そうと試みるときに、当該遠隔局がその隣接セットサーチウィンドウＳＲＣＨ＿ＷＩＮ＿Ｎの中心をＰＮ１’と名付けられた遅延値に置くであろう。従って、遠隔局サーチャー機能がセクタからのＰＮ１エネルギー同報通信を見つけようとしている場合、全体の遅延は、中継器から中継器カバレッジのエッジまでから隣接セットサーチウィンドウの半分を引いた遅延の総計は、基地局アンテナからセクタカバレッジのエッジへの遅延以下であるべきである。数学的に、これは次のように書くことができる。
【数９】
2007500488.tif 000012
【００６８】
ここで、
ＷＮ＝隣接セットサーチウィンドウの時間内のサイズ、である。
【００６９】
この関係は、隣接セットサーチウィンドウサイズが今回は使用中である点を除いて、ケース１で導かれたものと形式上では類似している。
【数１０】
2007500488.tif 000013
【００７０】
という条件下で、このケースのような異なるＰＮ間での移動は、ケース１よりもわずかに長い光ファイバケーブル長を許容し得る。
【００７１】
完全さのため、上記の関係は、
【数１１】
2007500488.tif 000014
【００７２】
を求めるために単純化できる。
【００７３】
この関係は、物理的なファイバ長の点から下記のように表現することができる。
【数１２】
2007500488.tif 000015
【００７４】
上記の関係に従うことは、中継器とセクタが異なるＰＮオフセットを同報通信している場合に、遠隔局サーチャーが、ＺＲからＺ１に移動するにつれて、セクタからのフォワードリンク信号を見つけられるであろうことを保証するであろう。換言すれば、これらは異なるフォワードリンク信号を同報通信している。遠隔局がセクタカバレッジエリアから中継器カバレッジエリアに移動する事象は、上記で導かれたのと同一の関係に従うであろう。
【００７５】
ＶＩ．基地局アクセスウィンドウ  
ここまでは、サーチウィンドウの機能と相対的なタイミングについて説明してきた。より具体的には、アイドル状態とトラヒック状態の双方において、遠隔局が中継器カバレッジエリアへ移動するにつれて、及び中継器カバレッジエリアから離れるにつれて、遠隔局のサーチ処理の遅延の効果が検討されてきた。
【００７６】
しかし、アクセスに関して考慮すべきもう一つのサーチウィンドウがある。このウィンドウは基地局内に存在し、基地局が遠隔局からのアクセスの試みを識別及び相関する間の時間の最大の遅延を設定する。換言すれば、このサーチウィンドウは、基地局が到来するアクセスの試みから検索するであろう双方向の最大の遅延を設定する。図４は、この遅延を示す。
【００７７】
基地局アクセスウィンドウパラメータ設定では、光ファイバ中継器の使用から付加される如何なる遅延も説明ことが必要である。つまり、ファイバ遅延の付加は、付加された双方向の遅延を説明するために基地局アクセスウィンドウの拡張を必要とするかもしれない。この付加無しには、中継器カバレッジエリアの遠隔局から発するアクセスプローブ（Access probes）を基地局が処理できないことがあり、遠隔局が中継器カバレッジエリア内からネットワークにアクセスできないという結果になる。
【００７８】
このサーチウィンドウの正確な範囲は標準化されていない。これらは、ＣＤＭＡネットワーク機器の各ベンダーの領域である。従って、このウィンドウはＣＤＭＡネットワーク機器の特定のベンダーに依存する。
【００７９】
ＶＩＩ．要約  
基地局セクタに接続された光ファイバ中継器に関する光ファイバケーブルの最大の遅延を決定するための２つの式が展開されてきた。所定の２つのケースがある。第１は、中継器が、遠隔局が移動中の基地局セクタと同一のＰＮオフセット（同一のフォワードリンク）を運ぶケースに関わる。このケースでは、ファイバの最大の遅延は、式（６）により与えられる。第２のケースは、中継器がフォワードリンクを遠隔局が移動しつつある、又は、離れつつあるものと異なるセクタから再び同報通信している状況に関わる。このケースでは、光ファイバの最大の長さは、式（１０）により与えられる。
【００８０】
β＝１と仮定すると、実施形態は、無線の中継器又は基地局を備える無線通信における中継器に適用することができる。これは、同一の幾何学と原理がネットワーク及び中継器内のタイミングとシステム遅延に当てはまるからである。このような実施形態では、中継器が、遠隔局が移動中である基地局セクタと同一のＰＮオフセットを運ぶときの、中継器と基地局との間の最大の伝播遅延ＰＤは、以下のように書かれるであろう。
【数１３】
2007500488.tif 000016
【００８１】
ここで、
ＷＡ＝アクティブセットサーチウィンドウの時間内のサイズ、
τ１＝基地局アンテナから遠隔局が中継器カバレッジエリアから移動している地点までの伝播遅延、
τＲ＝中継器の内部遅延、
τＺ＝中継器から遠隔局が基地局セクタカバレッジエリアへ移動している地点までの伝播遅延、である。
【００８２】
また、中継器がフォワードリンクを遠隔局が移動しつつある、又は、遠隔局が離れつつあるものとは異なるセクタから再び同報通信しているとき、中継器と基地局との間の最大の伝播遅延ＰＤは、下記のように書いてもよい。
【数１４】
2007500488.tif 000017
【００８３】
ここで、
ＷＮ＝隣接セットサーチウィンドウの時間内のサイズ、である。
【００８４】
ＶＩＩＩ．アプリケーション  
図１２は、移動局が基地局と、当該基地局に光ファイバケーブルを使用して接続された中継器を介して通信する通信システム用の装置例１２００である。装置１２００は、光ファイバケーブルの許容可能な、及び／又は充分な物理的な長さを決定するのに用いられてもよい。装置１２００は、加算ユニット１２１０と除算ユニット１２２０を備えてもよい。
【００８５】
加算ユニット１２１０は、第１の伝播遅延の値τＺと中継器の内部遅延の値τＲを第２の伝播遅延の値τ１から引き、所望のサーチウィンドウサイズＷの半分を足して、合計値ｓ３を得るが、第１の伝播遅延の値は中継器から移動局への遅延であり、第２の伝播遅延の値は、基地局から移動局への遅延である。より具体的には、加算ユニット１２１０は、加算器１２１２−１２１６を含んでもよい。加算器１２１２は、τＺをτ１から引いて合計ｓ１を得るように構成される。加算器１２１４は、τＲを合計ｓ１から引いて合計ｓ２を得るように構成される。加算器１２１６は、Ｗの半分をｓ２に足してｓ３を得るように構成される。加算ユニット１２１０は更に、所望のサーチウィンドウサイズＷの半分を得るために、Ｗを２で割るように構成される第２の除算ユニット１２１８を備えてもよい。第２の除算ユニット１２１８は、所望のサーチウィンドウサイズＷの半分を直接入力することによって省略されてもよいことに注意されたい。また、加算器１２１２、１２１４、及び１２１６は、加算ユニット１２１０の結果に影響を及ぼさずに、異なる順序で導入されてもよい。更に、加算器１２１２、１２１４及び１２１６のうちの１つ以上が共に導入されてもよい。
【００８６】
除算ユニット１２２０は、光ファイバケーブルの遅延の値の、光ファイバケーブルの長さに対する比の値βで合計ｓ３を割るように構成される。その結果は、光ファイバケーブルの許容可能な、及び／又は、充分な物理的な長さである。
【００８７】
図１３は、通信システムのための例示の装置３００を示し、移動局が基地局と、当該基地局に光ファイバケーブルを使用して接続された中継器を介して通信する。装置１３００は、光ファイバケーブルの所望の物理的な長さに対する実施可能なサーチウィンドウサイズを決定するのに用いてもよい。装置１３００は、乗算ユニット１３１０、加算ユニット１３２０、及び第２の乗算ユニット１３３０を備え得る。
【００８８】
乗算ユニット１３１０は、光ファイバケーブルの所望の長さｘに、光ファイバケーブルの遅延の値の、光ファイバケーブルの長さに対する比の値βを乗じて、積の値Ｐを得るように構成される。
【００８９】
加算ユニット１３２０は、第１の伝播遅延の値τＺと、Ｐを有する中継器の内部遅延の値τＲとを足し、第２の伝播遅延の値τ１を引いて、合計の値ｓ３を得るように構成される。より具体的には、加算ユニット１３２０は、加算器１３２２−１３２６を備え得る。加算器１３２２は、Ｐからτ１を引いて、合計ｓ１を得るように構成される。加算器１３２４は、τＲと合計ｓ１を足して、合計ｓ２を得るように構成される。加算器１３２６は、τＲと合計ｓ２を足して、合計ｓ３を得るように構成される。加算器１３２２、１３２４及び１３２６は、加算ユニット１３２０の結果に影響を及ぼすことなく、異なる順序で実現されてもよいことに注意すべきである。また、加算器１３２２、１３２４及び１３２６のうちの１以上を一緒に実現してもよい。
【００９０】
第２の乗算ユニット１３３０は、ｓ３を２倍にして、ｘのための所望のサーチウィンドウサイズを得るように構成される。しかし、第２の乗算ユニット１３３０は、Ｐ、τ１、τＺ及びτＲが２倍されて、加算器１３２２−１３２６に直接入力される一部の実施形態では、省略されてもよい。このような場合は、ｓ３がｘのための所望のサーチウィンドウサイズとなるであろう。
【００９１】
図１４は、移動局が基地局と、当該基地局に光ファイバケーブルを使用して接続された中継器を介して通信する通信システムで使用するための方法１４００を示す。方法１４００は、所望のサーチウィンドウサイズのための許容可能な光ファイバケーブルの長さを決定するのに使用され得る。
【００９２】
方法１４００は、時間内の所望のサーチウィンドウサイズＷを決定することを含み得る（１４１０）。一部の実施形態において、方法１４００は、サーチウィンドウサイズの範囲を決定することを含んでもよい。一部の他の実施形態において、方法１４００は、複数のサーチウィンドウサイズを決定することを含んでも良い。次に、光ファイバケーブルの遅延の最大値ＦＤが、所望のサーチウィンドウサイズに基づいて決定される（１４２０）。
【００９３】
光ファイバケーブルの遅延の最大値は、基地局から移動局への第１の伝播遅延の値τ１を決定し、中継器から移動局への第２の伝播遅延の値τＺを決定し、中継器の内部遅延の値τＲを決定することによって決定されてもよい。光ファイバケーブルの遅延の最大値は、所望のサーチウィンドウサイズ、内部遅延の値、及び、第１並びに第２の伝播遅延の値に基づいて決定することができる。
【００９４】
より具体的には、光ファイバケーブルの最大の長さは、第２の伝播遅延の値と内部遅延の値を第１の伝播遅延の値から引いて第１の合計を得て、所望のサーチウィンドウサイズの半分と当該第１の合計を足して第２の合計の値を得ることで、決定されてもよい。
【００９５】
図１４に戻ると、方法１４００は更に、光ファイバケーブルの遅延の値の、光ファイバケーブルの長さに対する比の値βを決定することを含む（１４３０）。その後、光ファイバケーブルの許容できる長さが、光ファイバケーブルの遅延の最大値と上記比の値に基づいて決定することができる（１４４０）。より具体的には、光ファイバケーブルの許容できる長さは、第２の合計の値を上記比の値で割ることで決定することができる。
【００９６】
図１５は、移動局が基地局と、当該基地局に光ファイバケーブルを使用して接続された中継器を介して通信する通信システムで使用するための方法１５００を示す。方法１５００は、光ファイバケーブルの所望の長さに対するサーチウィンドウサイズを決定するために用いられ得る。
【００９７】
方法１５００は、光ファイバケーブルの所望の長さを決定すること（１５１０）、光ファイバケーブルの遅延の値の、光ファイバケーブルの長さに対する比の値を決定すること（１５２０）、基地局から移動局への第１の伝播遅延の値を決定すること（１５３０）、中継器から移動局への第２の伝播遅延の値を決定すること（１５４０）、中継器の内部遅延の値を決定すること（１５５０）、及び、光ファイバケーブルの所望の長さと、上記比の値と、内部遅延の値と、第１並びに第２の伝播遅延の値とに基づいてサーチウィンドウサイズを決定すること（１５６０）を含み得る。
【００９８】
サーチウィンドウサイズは、光ファイバケーブルの所望の長さを上記比の値に掛けて光ファイバケーブルの遅延の値を得て、第２の伝播遅延の値と内部遅延の値を光ファイバケーブルの遅延の値と足して第１の合計の値を得て、第１の伝播遅延の値を第１の合計の値から引いて第２の合計の値を得て、当該第２の合計の値を２倍してサーチウィンドウサイズを決定することで、決定されてもよい。
【００９９】
装置１２００は方法１４００を達成するために用いられてもよく、装置１３００は方法１５００を達成するために用いられてもよいことに注意すべきである。
【０１００】
さらに、図１６は、移動局が基地局と、当該基地局に光ファイバケーブルを使用して接続された中継器を介して通信する、通信システムのための装置例１６００を示す。装置１６００は、光ファイバケーブルの長さが所望のサーチウィンドウサイズに対して充分かどうかを決定するのに用いられ得る。
【０１０１】
装置１６００は、記憶媒体１６１０とプロセッサ１６２０を備え得る。記憶媒体１６１０は、基地局から移動局への第１の伝播遅延の値、中継器から移動局への第２の伝播遅延の値、中継器の内部遅延の値、及び所望のサーチウィンドウサイズを記憶するように構成される。プロセッサ１６２０は、記憶媒体１６１０に結合され、光ファイバケーブルの長さが所望のサーチウィンドウサイズに対して充分かどうかを、第１及び第２の伝播遅延の値と、内部遅延の値と、所望のサーチウィンドウサイズとに基づいて決定するように構成される。ここで、光ファイバケーブルの長さが所望のサーチウィンドウサイズに対して充分かどうかを決定するために、プロセッサ１６２０により実行されるプロセッサ読み取り可能なコードが、記憶媒体１６１０に記憶されてもよい。一部の実施形態では、装置１６００は、光ファイバケーブルの長さが所望のサーチウィンドウサイズに対して充分かどうかを決定するために装置１２００といった装置（図示せず）を導入（implement）してもよい。
【０１０２】
装置１６００は更に、プロセッサ１６２０に結合され、光ファイバケーブルの物理的な長さを決定するように構成される測定ユニット１６３０を備えてもよい。すなわち、測定ユニット１６３０は、中継器を基地局に接続するために設置される（installed）光ファイバケーブルの実際の長さを測定及び獲得する。ここで、測定ユニット１６３０は、光ファイバケーブルの長さを、光ファイバケーブルが設置された後、設置されている間に、又は設置されるときに測定してもよい。光ファイバケーブルの長さは、利用できる公知の技術のうちの任意の一つによって測定され得る。
【０１０３】
また、装置１６００は更に、プロセッサ１６２０に結合され、光ファイバケーブルの長さが所望のウィンドウサイズに対して充分でないことを示す信号をユーザに出力するように構成される、出力ユニット１６４０を備えてもよい。出力ユニット１６４０の例は、ディスプレイ、オーディオ装置、ＬＥＤであり得るが、これらに限定されるものではない。
【０１０４】
従って、装置１６００は、中継器を基地局に接続するために光ファイバケーブルを設置する際に現場の技術者（field technician）によって使用されてもよい。
【０１０５】
図１７は、移動局が基地局と、当該基地局に光ファイバケーブルを使用して接続された中継器を介して通信する、通信システムで使用するための方法１７００を示す。方法１７００は、光ファイバケーブルの長さが所望のサーチウィンドウサイズに対して充分であるかどうかを決定するために使用され得る。
【０１０６】
方法１７００は、時間内の所望のサーチウィンドウサイズを決定すること（１７１０）、当該所望のサーチウィンドウサイズに基づいて、許容できる光ファイバケーブルの遅延の値を決定すること（１７２０）、光ファイバケーブルの遅延の値の、光ファイバケーブルの長さに対する比の値を決定すること（１７３０）、光ファイバケーブルの長さを決定すること（１７４０）、及び、光ファイバケーブルの長さが所望のサーチウィンドウサイズに対して充分かどうかを、許容できる光ファイバケーブルの遅延の値と上記比の値とに基づいて決定すること（１７５０）を備え得る。
【０１０７】
ここで、光ファイバケーブルの長さは、中継器を基地局に接続するための光ファイバケーブルを設置している間に決定されてもよい。同様に、光ファイバケーブルの長さが充分かどうかの決定は、中継器を基地局に接続するための光ファイバケーブルを設置している間になされてもよい。
【０１０８】
また、許容できる光ファイバケーブルの遅延の値は、所望のサーチウィンドウサイズに対する光ファイバケーブルの最大の遅延を決定することで、決定され得る。そして、光ファイバケーブルの最大の遅延は、基地局から移動局への第１の伝播遅延の値を決定し、中継器から移動局への第２の伝播遅延の値を決定し、中継器の内部遅延の値を決定することで、決定され得る。光ファイバケーブルの遅延の最大値は、所望のサーチウィンドウサイズ、内部遅延の値、及び、第１並びに第２の伝播遅延の値に基づいて決定され得る。
【０１０９】
より具体的には、光ファイバケーブルの長さが充分かどうかの決定は、第２の伝播遅延の値と内部遅延の値を第１の伝播遅延の値から引いて第１の合計の値を得て、所望のサーチウィンドウサイズの半分と当該第１の合計の値を足して第２の合計の値を得て、当該第２の合計の値を上記比の値で割ることでなされてもよい。
【０１１０】
ＩＸ．結論  
上述したように、サーチウィンドウサイズと、許容されることができる光ファイバケーブルの遅延の量との間の関係は、中継器が基地局に光ファイバリンクを使用して接続される通信システムで使用するために提示されてきた。許容できる光ファイバケーブルの量、及び／又は光ファイバケーブルの長さは、光ファイバケーブルの遅延の最大量、及び／又は光ファイバケーブルの最大の長さ以下の任意の値であることに注意すべきである。また、β、τ１、τＺ及びτＲの値は、中継器を基地局に接続するために光ファイバケーブルが使用される前、使用されている間、及び使用された後に、装置１２００、１３００及び／又は１６００に外部から入力されてもよいことに注意されたい。これらの値は、任意の公知の技術によって獲得されても、又は推定されてもよい。さらに、装置１２００、１３００、又は１６００は、例えば、中継器を設置するときに現場のユーザ（users in the field）によって使用される、独立した装置又はツールで実施されてもよい。あるいは、装置１２００はまた、中継器及び／又は基地局の一部として実施されて、中継器の設置においてユーザを支援してもよい。
【０１１１】
また、上記の実施形態は光ファイバケーブルを使用して説明されてきたが、上記の実施形態が電線や同軸ケーブルといった、ただしこれらに限定されない、他の物理的なリンクに適用し得ることは当業者には明白であろう。上記の実施形態が、上述したようにβ＝１を仮定することで無線リンクに適用し得ることも注意されるべきである。
【０１１２】
更に、実施形態は、ハードウェア、ソフトウェア、ファームウェア、ミドルウェア、マイクロコード、又はこれらの任意の組み合わせによって実施されてもよい。ソフトウェア、ファームウェア、ミドルウェア、又はマイクロコードで実施されるときは、必要なタスクを実行するためのプログラムコード又はコードセグメントは、記憶媒体１６１０といった機械読み取り可能な媒体、又は図示されない一又は複数の別個の記憶装置に記憶されてもよい。プロセッサは必要なタスクを実行してもよい。コードセグメントは、プロシージャ、関数、サブプログラム、プログラム、ルーチン、サブルーチン、モジュール、ソフトウェアパッケージ、クラス、又は、命令、データ構造、あるいはプログラム文の任意の組み合わせを表し得る。コードセグメントは、情報、データ、引数、パラメータ、又は記憶内容（memory contents）を渡すことで、及び／又は、受け取ることで、別のコードセグメント又はハードウェア回路に結合されてもよい。情報、引数、パラメータ、データなどは、メモリシェアリング、メッセージパッシング、トークンパッシング、ネットワーク送信などを含む任意の適当な手段を介して渡されても、転送されても、又は送信されてもよい。
【０１１３】
前述の実施形態は例にすぎず、本発明を限定するものとして解釈されるべきものではない。実施形態の記載は、説明を意図するものであって、特許請求の範囲を限定することを意図するものではない。従って、本教示は他のタイプの装置に容易に適用することができ、また、多くの代案、変更、並びに変形が当業者には明白であろう。
【図面の簡単な説明】
【０１１４】
【図１】図１は、中継器を含む無線通信ネットワークの例を示す。
【図２】図２は、中継器の例を示す。
【図３】図３は、ＰＮショートコード空間の例を示す。
【図４】図４は、伝播遅延に起因する基地局と遠隔局との間のタイミングオフセットを示す。
【図５】図５は、ＰＮオフセットを備える基地局の３つのセクタを示す。
【図６】図６は、伝播遅延に起因する遠隔局に対するシステム時間の相対的なタイミングを示す。
【図７】図７は、中継器及び隣接するセクタが同一のＰＮオフセットを同報通信するときの遠隔局に関する相対的なタイミングを示す。
【図８】図８は、中継器及び隣接するセクタが同一のＰＮオフセットを同報通信するときの遠隔局に対する相対的なタイミングを示す。
【図９】図９は、中継器及び隣接するセクタが同一のＰＮオフセットを同報通信するときの遠隔局に対する相対的なタイミングを示す。
【図１０】図１０は、中継器及び隣接するセクタが異なるＰＮオフセットを同報通信するときの遠隔局に対する相対的なタイミングを示す。
【図１１】図１１は、中継器及び隣接するセクタが異なるＰＮオフセットを同報通信するときの遠隔局に対する相対的なタイミングを示す。
【図１２】図１２は、光ファイバケーブルの許容できる、及び／又は充分な物理的な長さを決定する装置例を示す。
【図１３】図１３は、光ファイバケーブルの所望の物理的な長さに対する実施可能なサーチウィンドウサイズを決定する装置の例を示す。
【図１４】図１４は、光ファイバケーブルの許容できる、及び／又は充分な物理的な長さを決定する方法の例を示す。
【図１５】図１５は、光ファイバケーブルの所望の物理的な長さに対する実施可能なサーチウィンドウサイズを決定する方法の例を示す。
【図１６】図１６は、光ファイバケーブルの長さが所望のサーチウィンドウサイズに対して充分かどうかを決定する装置の例を示す。
【図１７】図１７は、光ファイバケーブルの長さが所望のサーチウィンドウサイズに対して充分かどうかを決定する装置の例を示す。
【図１】
2007500488.tif 000018
【図２】
2007500488.tif 000019
【図３】
2007500488.tif 000020
【図４】
2007500488.tif 000021
【図５】
2007500488.tif 000022
【図６】
2007500488.tif 000023
【図７】
2007500488.tif 000024
【図８】
2007500488.tif 000025
【図９】
2007500488.tif 000026
【図１０】
2007500488.tif 000027
【図１１】
2007500488.tif 000028
【図１２】
2007500488.tif 000029
【図１３】
2007500488.tif 000030
【図１４】
2007500488.tif 000031
【図１５】
2007500488.tif 000032
【図１６】
2007500488.tif 000033
【図１７】
2007500488.tif 000034
【国際調査報告】
2007500488.tif 000035